(57)【特許請求の範囲】
【請求項１】
台板の長手方向に沿う両側に側部片を相対設した台枠の前記側部片の一側に、中央の操作片の両側に側片を相対設した操作枠の前記側片の一側を回動軸で互いに回動自在に組付けて締付け器を構成し、該締付け器の前記台枠の台板に基部を接続したベルト体の先端部を前記回動軸に接続して、前記操作枠を前記回動軸を中心に回動させて前記回動軸に前記ベルト体の先端側を巻取るようにした締付けベルトにおいて、締付け器の前記台板に横長の接続孔を設け、該接続孔の縁部に前記ベルト体の基端側を屈曲して形成した接続部を係止して前記ベルト体を締付け器に接続して成り、前記接続部は、前記ベルト体の基端部を残した中間部で形成して、しかも、ベルト体の下側に配した、平面部と該平面部の両端を平面部の上側に重なる方向に折り返した折り返し部とで成る二重折り曲げ部の前記折り返し部の自由端を、前記接続孔を通じて台板の上側に配したベルト体部に連続させて構成した、締付けベルト。
【発明の詳細な説明】
【技術分野】
【０００１】
本発明は、締付け器にベルト体の基部を組合わせて構成し、例えば、電柱にベルト体を巻回して締付け器を用いて該ベルト体を締付けて立上り管を緊締するために用いる締付けベルトに関するものである。
【背景技術】
【０００２】
ステンレスベルト（ベルト体）を接続する台枠と、該台枠の基部側に基部において回動軸で組付けた操作枠とで成り、前記台枠の台板に一端を接続した前記ステンレスベルトの他端を前記回動軸に接続し、前記操作枠を前記回動軸を中心に回動させて、該回動軸にステンレスベルトの前記他端側を巻取るようにした締付けベルトは公知であり（例えば、特許文献１）、前記操作枠を往復回動させたとき、前記回動軸を一方向にのみラチェット機構で回動できるようにして回動軸による巻取りをなお強固にした構造のもの（例えば、特許文献２）もある。
【０００３】
要するに、これら締付けベルトは、ステンレスベルトの一端側を台枠に接続して用いたものであるが、その接続手段として第一文献のものは、台板に設けた接続孔にステンレスベルトの一端を挿通してその先端を台板の裏側に折り曲げて取付ける手段が採られ、また、特許文献２のものは接続孔に挿通したステンレスベルトの一端側を折り曲げて前記台板に巻付ける手段が採られている。
【０００４】
【特許文献１】実公昭５２−３５２６６号公報
【特許文献２】特開２０００−１３９７１号公報
【発明の開示】
【発明が解決しようとする課題】
【０００５】
前記従来例は、いずれにしても、台枠の台板側に設けた接続孔の縁部にステンレスベルトの折り曲げ部を係止させて締付け器によって負荷される引張力に対処するようにしているが、その対処は前記の通り折り曲げ部だけであるので、締付け器によって必要以上の引張力が作用したとき、それに抗しきれずに折り曲げ部が延び、ステンレスベルトによる緊締にそごを来たす場合がある。
【０００６】
本発明は斯様な従来例の欠点を除去し、ステンレスベルトによる電柱への物品の締付け操作が円滑に行え、しかも、締付け状態を確実に維持する締付けベルトを提供することを目的として創案したものである。
【課題を解決するための手段】
【０００７】
台板の長手方向に沿う両側に側部片を相対設した台枠の前記側部片の一側に、中央の操作片の両側に側片を相対設した操作枠の前記側片の一側を回動軸で互いに回動自在に組付けて締付け器を構成し、該締付け器の前記台枠の台板に基部を接続したベルト体の先端部を前記回動軸に接続して、前記操作枠を前記回動軸を中心に回動させて前記回動軸に前記ベルト体の先端側を巻取るようにした締付けベルトにおいて、締付け器の前記台板に横長の接続孔を設け、該接続孔の縁部に前記ベルト体の基端側を屈曲して形成した接続部を係止して前記ベルト体を締付け器に接続して成り、前記接続部は、前記ベルト体の基端部を残した中間部で形成して、しかも、ベルト体の下側に配した、平面部と該平面部の両端を平面部の上側に重なる方向に折り返した折り返し部とで成る二重折り曲げ部の前記折り返し部の自由端を、前記接続孔を通じて台板の上側に配したベルト体部に連続させて構成した内容とするのである。
【発明の効果】
【０００８】
ベルト体に緊張力が作用しても、ベルト体と締付け器が分離することのない接続部で接続され、従って、締付け作業を円滑に行え、締付け状態を確実に維持できる締付けベルトを提供でき、また、前記接続部はベルト体を屈曲して構成した態様を採るので、低廉でスポット熔接と同様の接続強度によってベルト体と締付け器が接続された締付けベルトを提供できる。
【実施例】
【０００９】
図面は本発明に係る締付けベルトの一実施例を示し、図１は斜視図、図２は電柱に組付けた状態の断面図、図３は図２の一部欠截平面図、図４は図２の一部欠截底面図、図５は電柱に締付けた状態の断面図、図６は締付け器とベルト体との組付け順を示す説明図である。
【００１０】
本発明に係る締付けベルトＡは、締付け器１にベルト体２を、その基部において接続して構成し、実施例のものは電柱Ｄに立ち上り管その他の機器を締め付けるために用いるようにしたものであるが、適用上不都合がなければ荷物の梱包その他に用いても良い。
【００１１】
締付け器１は、中央の台板３ａの長手方向に沿う両側に側部片３ｂを相対設して構成した台枠３の前記側部片３ｂ，３ｂの一側に、中央の操作片４ａの両側に側片４ｂを相対設した操作枠４の前記側片４ｂの一側を回動軸５で回動自在に組付け、台枠３の前記台板３ａに基部を接続した前記ベルト本体２の先端部を前記回動軸５に接続して前記操作枠４を前記回動軸５を中心に、台枠３と操作枠４および回動軸５の相互に関連させて設けたラチェット機構６により操作枠４を往復回動させたとき、前記回動軸５を一方向のみ回動するようにして回動軸５によるベルト体１の巻取りを行い、ベルト体１を電柱Ｄに締付けるようにしたものである（特開２０００−１３９７１号公報記載の通り公知であるので詳細な説明は省略する）。
【００１２】
そして、実施例は斯様な締付け器１の台枠３にステンレス製のベルト体２を接続して締付けベルトＡを構成するのであって、台枠１を構成する台板３ａに両端部が側部片３ｂと重なり合う横長の接続孔７を設け、この接続孔７に、ベルト体２（横幅が前記側部片３ｂ，３ｂ間の離開幅よりやや狭くして側部片３ｂ，３ｂ間に係合して台板３ａと重合可能にしてある）の基端を貫通させて、ベルト体２と締付け器１を組合わせ（図６ａ）、接続孔７を貫通させたベルト体２の基端部２ａをコの字形に屈曲させ（図６ｂ）、次いで、該コの字形の基端部２ａの隅角部２ａ´を型で押圧して互いに近接させて上部２ｂ´が重なり合い、下部２ｂ´´側が隅丸三角形の屈曲枠２ｂを形成し（図６ｃ）、該屈曲枠２ｂを下部２ｂ´´側から押し上げるようにして屈曲枠２ｂを圧平する一方、前記上部２ｂ´を組付け孔６を通じて台板３ａ上方に突出させ（図６ｄ）、そして、最後工程として前記上部２ｂ´の互いに重なり合うベルト本体２部分と基端部を互いに離開する（反対）方向に折り曲げ、それぞれを前記台板１上に重合させて得るのである（図６ｅ）。
【００１３】
締付け器１とベルト体２は、前記のような方法で互いに接続されて締付けベルトＡを構成するが、その接続方法は図６で示すような段階を経る必要がないことは勿論で、要するに、締付け器１の前記台枠３の台板３ａに横長の接続孔７を設け、該接続孔７の縁部に前記ベルト体２の基端側を屈曲して形成した接続部１０を係止して前記ベルト体２を締付け器１に接続して成り、前記接続部１０は、前記ベルト体２の基端部を残した中間部で形成して、しかも、ベルト体２の下側に配した、平面部１１ａと該平面部１１ａの両端を平面部１１ａの上側に重なる方向に折り返した折り返し部１１ｂ，１１ｂとで成る二重折り曲げ部１１の前記折り返し部１１ｂの自由端を、前記接続孔を通じて台板３ａの上側に配したベルト体部、すなわち、一方を台板３ａ上に重ねたベルト主体部２´、他方を同じく台板３ａ上に重ねた基端部２´´に連続させて構成してあれば良い。
【図面の簡単な説明】
【００１４】
【図１】斜視図。
【図２】電柱に組付けた状態の断面図。
【図３】図２の一部欠截平面図。
【図４】図２の一部欠截底面図。
【図５】電柱に締付けた状態の断面図。
【図６】締付け器とベルト体との組付け順を示す説明図。
【符号の説明】
【００１５】
１          締付け器
２          ベルト体
３          台枠
３ａ        台板
３ｂ        側部片
４          操作枠
４ａ        操作片
４ｂ        側片
５          回動軸
６          接続孔
１０        接続部
１１        二重折り曲げ部
１１ａ      平面部
１１ｂ      折り返し部
【図１】
0005038947.tif 000002
【図２】
0005038947.tif 000003
【図３】
0005038947.tif 000004
【図４】
0005038947.tif 000005
【図５】
0005038947.tif 000006
【図６】
0005038947.tif 000007